(57)【要約】【課題】監視員からの通報をより確実に認識させることができ、安全性が高い緊急通報システムおよび作業用重機を提供する。【解決手段】第１ＤＣ−ＤＣコンバータ１２が、電源の電圧を第１駆動電圧に変換し、第２ＤＣ−ＤＣコンバータ１３が、第１駆動電圧を第２駆動電圧に変換する。受信部１４が、第２駆動電圧で駆動して送信機１からの音声信号を受信可能である。インターフェース１５が、受信部１４および第１ＤＣ−ＤＣコンバータ１２に接続され、音声信号を入力したとき、音声信号および第１駆動電圧を出力する第１出力端子１５ａと、第１駆動電圧を出力する第２出力端子１５ｂとを有している。スピーカ１６が、第１出力端子１５ａに接続され、音声信号を出力可能である。回転灯３が、第２出力端子１５ｂに接続され、受信機２が送信機１からの音声信号を受信するのに同期して回転するようになっている。【選択図】図２
0003138908.tif 000002
【実用新案登録請求の範囲】
【請求項１】
送信機から受信機に音声信号を無線送信可能な緊急通報システムであって、
前記受信機が前記送信機からの音声信号を受信するのに同期して回転するよう、前記受信機に接続された回転灯を有することを、
特徴とする緊急通報システム。
【請求項２】
前記受信機は第１ＤＣ−ＤＣコンバータと第２ＤＣ−ＤＣコンバータと受信部とインターフェースとスピーカとを有し、前記第１ＤＣ−ＤＣコンバータは電源に接続されて前記電源の電圧を第１駆動電圧に変換するよう設けられ、前記第２ＤＣ−ＤＣコンバータは前記第１ＤＣ−ＤＣコンバータに接続されて第１駆動電圧を第２駆動電圧に変換するよう設けられ、前記受信部は前記第２ＤＣ−ＤＣコンバータに接続されて前記第２駆動電圧で駆動して前記送信機からの音声信号を受信可能であり、前記インターフェースは前記受信部および前記第１ＤＣ−ＤＣコンバータに接続されて前記音声信号および前記第１駆動電圧を入力可能であり、前記音声信号を入力したとき前記音声信号および前記第１駆動電圧を出力する第１出力端子と、前記音声信号を入力したとき前記第１駆動電圧を出力する第２出力端子とを有し、前記スピーカは前記第１出力端子に接続されて前記第１駆動電圧で駆動されて前記音声信号を出力可能であり、
前記回転灯は前記第２出力端子に接続されて前記第１駆動電圧で駆動されて回転可能であることを、
特徴とする請求項１記載の緊急通報システム。
【請求項３】
請求項１または２記載の緊急通報システムの前記受信機および前記回転灯を運転席に取り付けて成ることを、特徴とする作業用重機。
【考案の詳細な説明】
【技術分野】
【０００１】
本考案は、緊急通報システムおよび作業用重機に関する。
【背景技術】
【０００２】
従来、建設現場などで油圧ショベル等の作業用重機で作業を行う場合、現場監視員が作業用重機や作業員の動きを監視して、現場の安全管理を行うのが一般的である。現場監視員は、作業用重機と作業員とが近づきすぎて危険なときなどに、トランシーバー等の無線機で作業用重機の運転者に通報し、作業を中断させるなどの安全対策をとっている（例えば、特許文献１参照）。
【０００３】
【特許文献１】特開平１０−３７２５３号公報
【考案の開示】
【考案が解決しようとする課題】
【０００４】
しかしながら、特許文献１記載の通報装置のように音や声、振動で通報するものでは、作業用重機の騒音や振動に紛れて運転者が通報を認識できないことがあるという課題があった。通報を認識できない場合には、重機災害や人身事故が発生する可能性があり、より高度な安全管理が求められている。
【０００５】
本考案は、このような課題に着目してなされたもので、監視員からの通報をより確実に認識させることができ、安全性が高い緊急通報システムおよび作業用重機を提供することを目的としている。
【課題を解決するための手段】
【０００６】
上記目的を達成するために、本考案に係る緊急通報システムは、送信機から受信機に音声信号を無線送信可能な緊急通報システムであって、前記受信機が前記送信機からの音声信号を受信するのに同期して回転するよう、前記受信機に接続された回転灯を有することを、特徴とする。
【０００７】
本考案に係る緊急通報システムは、送信機を通報者側に配置し、受信機および回転灯を被通報者側に配置して使用される。通報者が送信機から音声信号を無線送信すると、受信機がその音声信号を受信するとともに、音声信号の受信に同期して回転灯が回転する。このため、音声信号および回転灯の回転により、通報者からの通報を被通報者に認識させることができる。
【０００８】
本考案に係る緊急通報システムは、特に、建設現場などで、現場監視員側に送信機を、作業用重機や現場に出入りする一般車両の運転者側に受信機および回転灯を配置して使用されることが好ましい。回転灯は、運転者が作業中でも視認しやすい位置に取り付けられることが好ましい。この場合、現場監視員が危険を察知して送信機で通報したとき、音声信号および回転灯の回転により、作業用重機の運転者に危険を認識させることができる。運転者が作業用重機の騒音で音声信号を聞き取れなくても、回転灯の回転により危険を認識させることができ、現場監視員からの通報をより確実に認識させることができる。このため、重機災害や人身事故などの危険を回避することができ、安全性が高い。
【０００９】
本考案に係る緊急通報システムで、前記受信機は第１ＤＣ−ＤＣコンバータと第２ＤＣ−ＤＣコンバータと受信部とインターフェースとスピーカとを有し、前記第１ＤＣ−ＤＣコンバータは電源に接続されて前記電源の電圧を第１駆動電圧に変換するよう設けられ、前記第２ＤＣ−ＤＣコンバータは前記第１ＤＣ−ＤＣコンバータに接続されて第１駆動電圧を第２駆動電圧に変換するよう設けられ、前記受信部は前記第２ＤＣ−ＤＣコンバータに接続されて前記第２駆動電圧で駆動して前記送信機からの音声信号を受信可能であり、前記インターフェースは前記受信部および前記第１ＤＣ−ＤＣコンバータに接続されて前記音声信号および前記第１駆動電圧を入力可能であり、前記音声信号を入力したとき前記音声信号および前記第１駆動電圧を出力する第１出力端子と、前記音声信号を入力したとき前記第１駆動電圧を出力する第２出力端子とを有し、前記スピーカは前記第１出力端子に接続されて前記第１駆動電圧で駆動されて前記音声信号を出力可能であり、
前記回転灯は前記第２出力端子に接続されて前記第１駆動電圧で駆動されて回転可能であることが好ましい。この場合、市販のトランシーバーなどの無線機を利用することにより、容易かつ安価に製造することができる。
【００１０】
本考案に係る作業用重機は、本考案に係る緊急通報システムの前記受信機および前記回転灯を運転席に取り付けて成ることを、特徴とする。
【００１１】
本考案に係る作業用重機は、受信機および回転灯を運転席に取り付けて成るため、現場監視員が危険を察知して送信機で通報したとき、音声信号および回転灯の回転により、作業用重機の運転者に危険を認識させることができる。運転者が作業用重機の騒音で音声信号を聞き取れなくても、回転灯の回転により危険を認識させることができ、現場監視員からの通報をより確実に認識させることができる。このため、重機災害や人身事故などの危険を回避することができ、安全性が高い。
【考案の効果】
【００１２】
本考案によれば、監視員からの通報をより確実に認識させることができ、安全性が高い緊急通報システムおよび作業用重機を提供することができる。
【考案を実施するための最良の形態】
【００１３】
以下、図面に基づき、本考案の実施の形態について説明する。
図１および図２は、本考案の実施の形態の緊急通報システムを示している。
図１に示すように、本考案の実施の形態の緊急通報システムは、送信機１と受信機２と回転灯３とを有している。
【００１４】
図１（ａ）に示すように、送信機１は、音声信号を無線送信可能な特定小電力無線機から成る。
図１（ｂ）および図２に示すように、受信機２は、ほぼ直方体形状のケーシング１１と、第１ＤＣ−ＤＣコンバータ１２と第２ＤＣ−ＤＣコンバータ１３と受信部１４とインターフェース１５とスピーカ１６と電源スイッチ１７とを有している。
【００１５】
図２に示すように、第１ＤＣ−ＤＣコンバータ１２は、ケーシング１１の内部に収納され、ケーシング１１の下部側面から側方に突出した電源接続端子１２ａを有している。第１ＤＣ−ＤＣコンバータ１２は、電源を電源接続端子１２ａに接続したとき、電源の電圧を第１駆動電圧に変換するよう構成されている。第２ＤＣ−ＤＣコンバータ１３は、ケーシング１１の内部に収納され、第１ＤＣ−ＤＣコンバータ１２に接続されている。第２ＤＣ−ＤＣコンバータ１３は、第１ＤＣ−ＤＣコンバータ１２からの第１駆動電圧を第２駆動電圧に変換するよう構成されている。
【００１６】
受信部１４は、送信機１からの音声信号を受信可能な特定小電力無線機から成る。図１（ｂ）に示すように、受信部１４は、アンテナ１４ａをケーシング１１の上面から上方に突出させて、ケーシング１１の内部に収納されている。図２に示すように、受信部１４は、第２ＤＣ−ＤＣコンバータ１３に接続され、第２駆動電圧で駆動するよう構成されている。
【００１７】
図２に示すように、インターフェース１５は、ケーシング１１の内部に収納され、受信部１４および第１ＤＣ−ＤＣコンバータ１２に接続されて、音声信号および第１駆動電圧を入力可能になっている。インターフェース１５は、音声信号を入力したとき、音声信号および第１駆動電圧を出力する第１出力端子１５ａと、第１駆動電圧を出力する第２出力端子１５ｂとを有している。第１出力端子１５ａは、ケーシング１１の内部に設けられている。図１（ｂ）に示すように、第２出力端子１５ｂは、ケーシング１１の下部側面から側方に突出して設けられている。
【００１８】
図１（ｂ）に示すように、スピーカ１６は、ケーシング１１の正面上部に取り付けられている。スピーカ１６は、ケーシング１１の内部で第１出力端子１５ａに接続され、第１駆動電圧で駆動して音声信号を出力するよう構成されている。電源スイッチ１７は、ケーシング１１の正面下部に取り付けられている。電源スイッチ１７は、電源からの電気の供給を遮断可能に、電源接続端子１２ａと第１ＤＣ−ＤＣコンバータ１２との間に接続されている。
【００１９】
図１（ｃ）に示すように、回転灯３は、市販の赤色回転灯から成り、第２出力端子１５ｂに接続されている。回転灯３は、第１駆動電圧で駆動して回転するよう構成されている。回転灯３は、受信機２が送信機１からの音声信号を受信するのに同期して回転するようになっている。
【００２０】
なお、具体的な一例では、送信機１および受信部１４は、２０ｃｈ、デジタルコード付、防浸型の市販のトランシーバーから成っている。電源の電圧は、作業用重機等の電気出力端子から得られる２４Ｖである。第１駆動電圧は１２Ｖであり、第２駆動電圧は８Ｖである。インターフェース１５は、リレー切替オーディオアンプから成る。
【００２１】
次に、作用について説明する。
図１に示す緊急通報システムは、作業用重機を使用する建設現場などで好適に使用される。あらかじめ、現場監視員が送信機１を携帯し、作業用重機の運転席に受信機２および回転灯３を取り付けておく。電源接続端子１２ａを作業用重機の電気出力端子に接続し、運転者が作業中でも視認しやすいフロントガラス付近に回転灯３を取り付ける。これにより、本発明の実施の形態の作業用重機を構成することができる。
【００２２】
現場監視員が危険を察知して送信機１で通報すると、受信機２が音声信号を受信して、スピーカ１６により音声信号を出力するとともに、回転灯３が回転する。このため、音声信号および回転灯３の回転により、作業用重機の運転者に危険を認識させることができる。運転者が作業用重機の騒音で音声信号を聞き取れなくても、回転灯３の回転により危険を認識させることができ、現場監視員からの通報をより確実に認識させることができる。通報を認識した作業用重機の運転者は、作業用重機を停止するなどの危険回避を行うことができる。このように、本発明の実施の形態の緊急通報システムおよび作業用重機によれば、重機災害や人身事故などの危険を回避することができ、安全性が高い。
【００２３】
図１に示す緊急通報システムは、市販のトランシーバーやＤＣ−ＤＣコンバータ、アンプ等を利用することにより、容易かつ安価に製造することができる。受信機２および回転灯３の駆動電力が作業用重機から供給されるため、電池切れを防ぐことができる。作業用重機が複数であっても、各作業用重機に受信機２および回転灯３をそれぞれ取り付けることにより、現場監視員からすべての作業用重機に一斉に通報することができる。また、現場監視員が複数であっても、各現場監視員が送信機１を携帯することにより、それぞれの現場監視員からすべての作業用重機に通報することができる。このため、現場監視員を増やして、できるだけ死角を減らすことができ、作業の安全性をより一層高めることができる。
【００２４】
本発明に係る緊急通報システムおよび作業用重機は、重機災害が後を絶たない現状を考慮して、人命尊重を第１理念とし、重機災害の撲滅を図るために開発されたものである。特に、本発明に係る緊急通報システムおよび作業用重機を使用して、離れた位置から、作業用重機の運転者の死角になる位置での危険を監視することにより、より安全性を高めることができる。本発明に係る緊急通報システムは、作業用重機に限らず、建設現場に出入りする一般車両に取り付けてもよい。
【図面の簡単な説明】
【００２５】
【図１】本考案の実施の形態の緊急通報システムを示す（ａ）送信機の正面図、（ｂ）受信機の正面図、（ｃ）回転灯の側面図である。
【図２】図１に示す緊急通報システムの受信機を示すブロック図である。
【符号の説明】
【００２６】
１  送信機
２  受信機
３  回転灯
１１  ケーシング
１２  第１ＤＣ−ＤＣコンバータ
１２ａ  電源接続端子
１３  第２ＤＣ−ＤＣコンバータ
１４  受信部
１４ａ  アンテナ
１５  インターフェース
１５ａ  第１出力端子
１５ｂ  第２出力端子
１６  スピーカ
１７  電源スイッチ
【図１】
0003138908.tif 000003
【図２】
0003138908.tif 000004